(57)【要約】【課題】ラベルに対してどの位置にＲＦ−ＩＤタグが埋設されている場合でも、印字指令が出るとすぐにＲＦ−ＩＤタグへの読み込み／書き込みを行うことができると共に、ＲＦ−ＩＤタグへの書き込みエラーが発生した場合には、確実にオペレータに知らせること。【解決手段】ラベルの一部にＲＦ−ＩＤタグを有する用紙が供給されるプリンタにおいて、ＲＦ−ＩＤ読み取り書き込み用アンテナ３１と、このアンテナの取り付け位置を上記用紙の搬送方向に沿って可変可能な取り付け機構５１〜５３とを具備した。【選択図】図３
2006082560.tif 000002
【特許請求の範囲】
【請求項１】
ラベルの一部にＲＦ−ＩＤタグを有する用紙が供給されるプリンタにおいて、ＲＦ−ＩＤ読み取り書き込み用アンテナと、このアンテナの取り付け位置を上記用紙の搬送方向に沿って可変可能な取り付け機構とを具備したことを特徴とするＲＦ−ＩＤ読み取り書き込み機能付きプリンタ。
【発明の詳細な説明】
【技術分野】
【０００１】
本発明は、非接触で読み書き可能なＲＦ−ＩＤタグを埋め込んだラベルにユーザデータを書き込むと共に、印字を行うことができるＲＦ−ＩＤ読み取り書き込み機能付きプリンタに関する。
【背景技術】
【０００２】
図１の斜視図に示すようにＲＦ−ＩＤタグに読み込み及び書き込み可能なＲＦ−ＩＤ読み込み／書き込みモジュールを組み込んだバーコードプリンタが考えられている。
【０００３】
図１において、１１は筐体である。この筐体１１の背面には図２を参照して後述する連続用紙を供給する用紙供給部２１が設けられ、筐体１１の前面には印刷されたラベルが排出される取り出し口１２が設けられている。
【０００４】
また、この筐体１１の前面には、操作部としてのスイッチ１３及びそのスイッチ１３の上側に複数のＬＥＤ１４が設けられている。
【０００５】
図２は図１の筐体１１の断面を模式的に示す図である。図２において、用紙供給部２１から取り出し口１２方向に向って用紙搬送路２２が形成されている。この用紙搬送路２２の取り出し口１２の近傍で、しかも用紙搬送路２２の下側にはプラテンローラ２３が設けられている。このプラテンローラ２３と向かい合う位置にサーマルヘッド２４が設けられている。
【０００６】
２５はインクリボン２６をサーマルヘッド２４とプラテン２３との間に供給する供給ローラであり、２７はリボン供給ローラ２５から供給されたインクリボンを巻き取る巻き取りローラである。ここで、用紙供給路２１から用紙が用紙搬送路２２に沿って取り出し口１２方向に搬送される方向を搬送方向ｘとする。
【０００７】
プラテン２３より搬送方向ｘとは逆方向に少し戻った位置の用紙搬送路２２の下側には、ＲＦ−ＩＤ読み込み／書き込みアンテナ３１が固定されている。このＲＦ−ＩＤ読み込み／書き込みアンテナ３１は図１においては、破線で示しておく。さらに、ＲＦ−ＩＤ読み込み／書き込みアンテナ３１での読み込み／書き込み処理を行う電装品が搭載されたＲＦ−ＩＤ読み込み／書き込みモジュール３２が筐体１１内の破線で示した位置に配設されている。
【０００８】
つまり、プラテン２３及びＲＦ−ＩＤ読み込み／書き込みアンテナ３１周辺を上面から見た図は図１３に示すようになる。
【０００９】
また、用紙供給部２１から供給される帯状の用紙４１には、所定間隔で長方形状のラベル４２が貼り付けられている。このラベル４２の搬送方向Ｘの先端側には、図１４（Ａ）に示すようにＲＦ−ＩＤタグ４３が埋設されている。以降、ＲＦ−ＩＤタグ４３が埋設されている搬送方向ｘ方向の領域をタグ領域Ａと呼び、ラベル４２のＲＦ−ＩＤタグ４３が埋め込まれていない領域をラベル領域Ｂと呼ぶ。ＲＦ−ＩＦタグ４３には、ＲＦ−ＩＤ読み込み／書き込みアンテナ３１によりユーザデータの読み込み／書き込みが行われ、ラベル領域Ｂには、サーマルヘッド２４によりバーコードや文字等が印刷される。
【００１０】
なお、ラベル４２上でのＲＦ−ＩＤタグ２３の埋設位置は、図１４（Ｂ）に示すようにラベル４２の後端側であっても良い。図１４（Ｂ）の場合には、搬送方向ｘの先端側に、ラベル領域Ｂが位置と、このラベル領域Ｂの後端側に、ＲＦ−ＩＤタグ４３が位置している。
【００１１】
従って、図１４（Ａ）の配置を有するラベルでは、ＲＦ−ＩＤタグ４３が先にプラテン２３に到達し、その後でラベル領域Ｂがプラテン２３に到達する。また、図１４（Ｂ）の配置を有するラベルでは、ラベル領域Ｂが先にプラテン２３に到達し、その後にＲＦ−ＩＤタグ４３がプラテン２３に到達する。
【発明の開示】
【発明が解決しようとする課題】
【００１２】
ところで、図１４（Ｂ）に示すように、ＲＦ−ＩＤタグ４３の埋設位置がラベル４２の後端にある場合には、印字待機状態でのプラテン２３、ＲＦ−ＩＤ読み込み／書き込みアンテナ３１、ＲＦ−ＩＤタグ４３との位置関係は図１５に示すようになる。
【００１３】
つまり、印字待機状態では、ＲＦ−ＩＤ読み込み／書き込みアンテナ３１とＲＦ−ＩＤタグ４３とは離れた位置にある。
【００１４】
従って、印字待機状態から、印字指令により印字が開始されると、まず、サーマルヘッド２４によりラベル領域Ｂにバーコードや文字等の印字が行われ、用紙４１が搬送方向ｘに搬送されて、ＲＦ−ＩＤ読み込み／書き込みアンテナ３１の上にＲＦ−ＩＤタグ４３が位置するようになると、ＲＦ−ＩＤタグ４３への読み込み／書き込みがＲＦ−ＩＤ読み込み／書き込みアンテナ３１により行われる。
【００１５】
従って、印字待機状態から印字指令が出ても、すぐにはＲＦ−ＩＤタグ４３への読み込み／書き込みができないという問題があった。
【００１６】
また、用紙４１が搬送方向ｘに搬送されて、ＲＦ−ＩＤ読み込み／書き込みアンテナ３１の上にＲＦ−ＩＤタグ４３が位置するようになって、ＲＦ−ＩＤタグ４３への書き込みがＲＦ−ＩＤ読み込み／書き込みアンテナ３１により行われた結果、書き込みエラーが発生した場合には、すでにラベル領域Ｂには印字処理がなされているため、書き込みエラーをラベル領域Ｂを使用してオペレータに知らせることはできないという問題があった。
【００１７】
本発明は上記の点に鑑みてなされたもので、その目的は、ラベルに対してどの位置にＲＦ−ＩＤタグが埋設されている場合でも、印字指令が出るとすぐにＲＦ−ＩＤタグへの読み込み／書き込みを行うことができると共に、ＲＦ−ＩＤタグへの書き込みエラーが発生した場合には、確実にオペレータに知らせることができるＲＦ−ＩＤ読み取り書き込み機能付きプリンタを提供することにある。
【課題を解決するための手段】
【００１８】
本発明は、ラベルの一部にＲＦ−ＩＤタグを有する用紙が供給されるプリンタにおいて、ＲＦ−ＩＤ読み取り書き込み用アンテナと、このアンテナの取り付け位置を上記用紙の搬送方向に沿って可変可能な取り付け機構とを具備したことを特徴とする。
【発明の効果】
【００１９】
本発明によれば、ラベルに対してどの位置にＲＦ−ＩＤタグが埋設されている場合でも、印字指令が出るとすぐにＲＦ−ＩＤタグへの読み込み／書き込みを行うことができる。
【発明を実施するための最良の形態】
【００２０】
以下、図面を参照して本発明の第１の実施の形態について説明する。なお、従来の技術で用いた図１及び図２についてはこの実施の形態と同じ構造を有するもので、その詳細な説明については省略する。
【００２１】
図３に示すように、用紙搬送路２２の下側には、搬送方向ｘに沿ってＲＦ−ＩＤ読み込み／書き込みアンテナ３１を装着するスロット５１〜５３を設けられている。図３は、プラテン２３に最も近いスロット５１にＲＦ−ＩＤ読み込み／書き込みアンテナ３１が装着された状態を示している。
【００２２】
次に、図４を参照してＲＦ−ＩＤ読み取り書き込み機能付きプリンタのシステム構成について説明する。図において、６１は本プリンタを統括して制御するためのＣＰＵ（中央処理装置）である。このＣＰＵ６１からのシステムバス６１ａには各種制御プログラムを記憶するＲＯＭ（リード・オンリ・メモリ）６２、各種作業エリアが設けられたＲＡＭ（ランダム・アクセス・メモリ）６３、操作部１３、サーマルヘッド２４、ＲＦ−ＩＤ読み込み／書き込みアンテナ３１での読み込み／書き込み動作を制御するＲＦ−ＩＤモジュール３２、通信Ｉ／Ｆ（インタフェース）６４、用紙４１を搬送方向ｘにフィードあるいは搬送方向ｘとは逆方向にバックフィードさせる搬送モータ６５が接続されている。この通信Ｉ／Ｆ６４には、ホストコンピュータ７１が接続されている。このホストコンピュータ７１はプリンタに対してソフトウェアコマンドとしてＲＦ−ＩＤ発行開始コマンドを送信する。このコマンドのパラメータにより、ラベル領域Ｂに印字を行う前にＲＦ−ＩＤタグ４３にデータを書き込む（第１の書き込み手段）かラベル領域Ｂに印字している間にＲＦ−ＩＤタグ４３への書き込み（第２の書き込み手段）も行なうかが選択可能である。なお、ＲＦ−ＩＤモジュール３２はこのＲＦ−ＩＤ読み取り書き込み用アンテナ３１からＲＦ−ＩＤタグ４３にユーザデータを書き込む書き込み機能手段と、ＲＦ−ＩＤタグ４３に書き込まれているユーザデータを読み出す読み出し機能手段とを備えている。
【００２３】
また、このコマンドとして、ラベル４２上でのＲＦ−ＩＤタグ４３の位置や大きさも指定することもできる。このコマンドを受信したプリンタは、ラベル４２上でのＲＦ−ＩＤタグ４３の位置や大きさによりラベル領域Ｂに印字を行う前にＲＦ−ＩＤタグ４３にデータを書き込む（第１の書き込み手段）かラベル領域Ｂに印字している間にＲＦ−ＩＤタグ４３への書き込み（第２の書き込み手段）を行なうか自動的に選択可能である。
【００２４】
次に、図５のフローチャートを参照して本発明の第１の実施の形態の動作について説明する。図５のフローチャートの処理は、ホストコンピュータ７１からＲＦ−ＩＤ発行開始コマンドを受信すると、プリンタはラベル領域Ｂに印字を行う前にまずＲＦ−ＩＤタグ４３にデータを書き込む。従って、予めラベル４２上でのＲＦ−ＩＦタグ４３の位置に合わせてＲＦ−ＩＤ読み込み／書き込みアンテナ３１をスロット５１〜５３に装着する。例えば、図１４（Ａ）に示すようなラベルの場合には、ＲＦ−ＩＤ読み込み／書き込みアンテナ３１はプラテン２３に最も近いスロット５１に装着される。また、図１４（Ｂ）に示すようなラベルの場合には、ＲＦ−ＩＤ読み込み／書き込みアンテナ３１はプラテン２３から最も遠いスロット５３に装着される。
【００２５】
このように、ラベル４２上でのＲＦ−ＩＤタグ４３の位置に応じて、ＲＦ−ＩＤ読み込み／書き込みアンテナ３１を装着するスロットを選択できるようにしたので、ＲＦ−ＩＤタグ４３の下側にＲＦ−ＩＤ読み込み／書き込みアンテナ３１を配置されることができる。つまり、印字待機位置において、ＲＦ−ＩＤタグ４３をＲＦ−ＩＤ読み込み／書き込みアンテナ３１により読み込み／書き込み可能な圏内に入れておくことができる。
【００２６】
以上のようにＲＦ−ＩＤ読み込み／書き込みアンテナ３１をスロット５１〜５３のいずれかに装着した後、プリンタがホストコンピュータ７１から送信されたＲＦ−ＩＤ発行開始コマンドを受信すると、まずＲＦ−ＩＤ読み込み／書き込みアンテナ３１からＲＦ−ＩＤタグ４３にデータの書き込みが行われる（ステップＳ１）。このＲＦ−ＩＤ読み込み／書き込みアンテナ３１からＲＦ−ＩＤタグ４３にデータの書き込みは、ＲＦ−ＩＤモジュール３２により制御される。
【００２７】
次に、ＲＦ−ＩＤタグ４３へのデータの書き込みが成功したかが判定される（ステップＳ２）。この判定は、ＲＦ−ＩＤタグ４３からＲＦ−ＩＤ読み込み／書き込みアンテナ３１に返送されるリターンコードを判定することにより行われる。
【００２８】
このステップＳ２の判定で「ＹＥＳ」と判定された場合には、サーマルーッド２４よりラベル領域Ｂにバーコードや文字等が印字される（ステップＳ３）。
【００２９】
一方、ステップＳ２の判定で「ＮＯ」と判定された場合には、エラー処理がなされる（ステップＳ４）。このエラー処理としては、ＬＥＤ１４を点灯させたり、あるいはブザーを鳴らすようにしても良い。
【００３０】
このように第１の実施の形態によれば、ラベル領域Ｂに印字する前には、必ずＲＦ−ＩＤタグ４３に正常にデータを書き込んでおくことができる。
【００３１】
次に、本発明の第２の実施の形態の動作について図６のフローチャートを参照して説明する。この第２の実施の形態においても、第１の実施の形態と同様に、ラベル４２上でのＲＦ−ＩＤタグ４３の位置に応じて、ＲＦ−ＩＤ読み込み／書き込みアンテナ３１を装着するスロットを選択して、印字待機位置において、ＲＦ−ＩＤタグ４３をＲＦ−ＩＤ読み込み／書き込みアンテナ３１により読み込み／書き込み可能な圏内に入れておくようにしておく。
【００３２】
プリンタがホストコンピュータ７１から送信されたＲＦ−ＩＤ発行開始コマンドを受信すると、ＲＦ−ＩＤ読み込み／書き込みアンテナ３１によりＲＦ−ＩＤタグ４３に記憶されているＲＦ−ＩＤデータを読み込む処理がなされる（ステップＳ１１）。そして、この読み込まれたＲＦ−ＩＤデータは、ＲＦ−ＩＤモジュール３２、通信Ｉ／Ｆ６４を介してホストコンピュータ７１に転送される（ステップＳ１２）。ホストコンピュータ７１は転送されてきたＲＦ−ＩＤデータを基にＲＦ−ＩＤタグ４３への書き込みデータを作成し、プリンタに送信する。
【００３３】
プリンタはＲＦ−ＩＤ読み込み／書き込みアンテナ３１によりＲＦ−ＩＤデータをＲＦ−ＩＤタグ４３に書き込む処理を行う（ステップＳ１３）。そして、このＲＦ−ＩＤタグ４３に書き込み処理が成功したかが判定される（ステップＳ１４）。
【００３４】
このステップＳ１４の判定で「ＹＥＳ」と判定された場合には、サーマルーッド２４よりラベル領域Ｂにバーコードや文字等が印字される（ステップＳ１５）。
【００３５】
一方、ステップＳ１４の判定で「ＮＯ」と判定された場合には、エラー処理がなされる（ステップＳ１６）。このエラー処理としては、ＬＥＤ１４を点灯させたり、あるいはブザーを鳴らすようにしても良い。
【００３６】
このように第２の実施の形態によれば、ラベル領域Ｂに印字する前には、必ずＲＦ−ＩＤタグ４３に正常にデータを書き込んでおくことができる。さらに、予めＲＦ−ＩＤタグ４３に記憶されているＲＦ−ＩＤデータを基にＲＦ−ＩＤタグ４３への書き込みデータを作成することができる。
【００３７】
次に、本発明の第３の実施の形態について図７ないし図９を参照して説明する。前述した第１及び第２の実施の形態では、ＲＦ−ＩＤ読み込み／書き込みアンテナ３１の装着位置は可変であったが、この第３の実施の形態では、図７に示すようにＲＦ−ＩＤ読み込み／書き込みアンテナ３１はプラテン２３の直ぐ下流に装着されている。このようにＲＦ−ＩＤ読み込み／書き込みアンテナ３１が装着されており、図１４（Ｂ）に示すようなラベル４２への印字を行う場合の動作について図９のフローチャートを参照して説明する。
【００３８】
プリンタがホストコンピュータ７１から送信されたＲＦ−ＩＤ発行開始コマンドを受信すると、図７の印字待機状態からすぐに、ラベル領域Ｂにサーマルヘッド２４により印字を行う処理が開始される（ステップＳ２１）。
【００３９】
そして、ＲＦ−ＩＤ読み込み／書き込みアンテナ３１からＲＦ−ＩＤタグ４３への書き込みが済んでいるかが判定される（ステップＳ２２）。このステップＳ２２で「ＮＯ」と判定された場合には、ＲＦ−ＩＤ読み込み／書き込みアンテナ３１からＲＦ−ＩＤタグ４３へのデータの書き込みが行われる（ステップＳ２３）。
【００４０】
そして、ＲＦ−ＩＤタグ４３へのデータの書き込みが成功したかが判定される（ステップＳ２４）。この判定はＲＦ−ＩＤタグ４３からのリターンコードを判定することにより行われる。
【００４１】
このステップＳ２４の判定で「ＹＥＳ」と判定された場合には、書き込み成功フラグＦに「１」がセットされる（ステップＳ２５）。
【００４２】
一方、ステップＳ２４の判定で「ＮＯ」と判定された場合には、ラベル領域Ｂへの印字が終了したかか判定される（ステップＳ２６）。
【００４３】
このステップＳ２６の判定で「ＮＯ」と判定された場合には、前述したステップＳ２２以降の処理が行われる。つまり、ＲＦ−ＩＤタグ４３へのデータの書き込みが成功しているか否かに関わらず、印字が終了していなければ、ステップＳ２２以降の処理が継続して行われる。
【００４４】
そして、ステップＳ２６の判定で「ＹＥＳ」、つまり印字が終了したと判定された場合には、書き込み成功フラグＦが「１」であるかが判定される（ステップＳ２７）。
【００４５】
このステップＳ２７の判定で「ＹＥＳ」と判定された場合には、ラベル発行処理は終了する。
【００４６】
一方、ステップＳ２７の判定で「ＮＯ」と判定された場合には、エラー処理がなされる（ステップＳ２８）。このエラー処理としては、ＬＥＤ１４を点灯させたり、あるいはブザーを鳴らすようにしても良い。
【００４７】
つまり、ステップＳ２７の判定で、ＲＦ−ＩＤタグ４３への書き込みエラーであることが判明した場合には、すでにラベル領域Ｂへの印字処理は終了しているので、ＬＥＤ１４を点灯させたり、あるいはブザーを鳴らすようにしている。
【００４８】
このように第３の実施の形態によれば、ＲＦ−ＩＤ発行開始コマンドを受信すると、まずラベル領域Ｂへの印字動作を開始させると共にＲＦ−ＩＤタグへの書き込み処理を行うことができる。
【００４９】
次に、本発明の第４の実施の形態について図７，図８，図１０を参照して説明する。前述した第１及び第２の実施の形態では、ＲＦ−ＩＤ読み込み／書き込みアンテナ３１の装着位置は可変であったが、この第４の実施の形態では、図７に示すようにＲＦ−ＩＤ読み込み／書き込みアンテナ３１はプラテン２３の直ぐ下流に装着されている。このようにＲＦ−ＩＤ読み込み／書き込みアンテナ３１が装着されており、図１４（Ｂ）に示すようなラベル４２への印字を行う場合の動作について図１０のフローチャートを参照して説明する。
【００５０】
図１０のフローチャートは図９のフローチャートのステップＳ２２とステップＳ２３との間にステップＳ２２ａの判断ブロックを設けたことを特徴とする。つまり、この第４の実施の形態では、ＲＦ−ＩＤタグ４３がラベル４２のどの位置にあるとというＲＦ−ＩＤタグ位置情報をＲＦ−ＩＤ発行開始コマンドと共に受信している。従って、プリンタはその位置情報に応じてＲＦ−ＩＤタグへのデータの書き込み動作を開始する位置と書き込み動作を終了する位置を可変している（可変手段）。
【００５１】
そして、ＲＦ−ＩＤタグ４３が図８に示す位置にくると、ステップＳ２２ａの判定で「ＹＥＳ」と判定されて、ＲＦ−ＩＤタグ４３へのデータの書き込みが行われる（ステップＳ２３）。
【００５２】
このように、本発明の第４の実施の形態によれば、ＲＦ−ＩＤタグ４３がラベル４２のどの位置にあるかを情報として得ておくことにより、ＲＦ−ＩＤタグ４３がＲＦ−ＩＤ読み込み／書き込みアンテナ３１の位置にきて始めてＲＦ−ＩＤタグ４３へのデータの書き込みを行うようにしたので、確実にＲＦ−ＩＤタグ４３へのデータの書き込みを成功させることができる。
【００５３】
ところで、前述した第１及び第２の実施の形態は、ラベル領域Ｂに印字を行う前にＲＦ−ＩＤタグ４３にデータを書き込む（第１の書き込み手段）を備えているものであり、前述した第３及び第４の実施の形態は、ラベル領域Ｂに印字している間にＲＦ−ＩＤタグ４３への書き込む（第２の書き込み手段）を備えている。プリンタはホストコンピュータ７１からＲＦ−ＩＤ発行開始コマンドを受信すると、そのコマンドにより指定されていれば、第１の書き込み手段あるいは第２の書き込み手段を選択するようにしても良い。
【００５４】
さらに、そのコマンドと共に、ラベル４２上でのＲＦ−ＩＤタグ４３の位置や大きさが指定されている場合には、そのデータに応じて第１の書き込み手段あるいは第２の書き込み手段を自動的に選択するようにしても良い。
【００５５】
次に、本発明の第５の実施の形態について図１１のフローチャートを参照して説明する。この第５の実施の形態では、前述した第４の実施の形態と同じように、図７に示すようにＲＦ−ＩＤ読み込み／書き込みアンテナ３１はプラテン２３の直ぐ下流に固定されている。このようにＲＦ−ＩＤ読み込み／書き込みアンテナ３１が装着されており、図１４（Ｂ）に示すようなラベル４２への印字を行う場合の動作について図１１のフローチャートを参照して説明する。
【００５６】
プリンタがホストコンピュータ７１から送信されたＲＦ−ＩＤ発行開始コマンドを受信すると、図７の印字待機状態からすぐに、ラベル領域Ｂにサーマルヘッド２４により印字を行う処理が開始される（ステップＳ３１）。次に、ＲＦ−ＩＤタグ４３への書き込み可能位置にきたかが判定される（ステップＳ３２）。ここで、ＲＦ−ＩＤタグ４３がラベル４２のどの位置にあるとというＲＦ−ＩＤタグ位置情報をＲＦ−ＩＤ発行開始コマンドと共に受信している。従って、プリンタはその位置情報に応じてＲＦ−ＩＤタグへのデータの書き込み動作を開始する位置と書き込み動作を終了する位置かを設定している。書き込み可能位置とは、ＲＦ−ＩＤタグへのデータの書き込み動作を開始する位置と書き込み動作を終了する位置との間にある位置をいう。このステップＳ３２の判定で「ＹＥＳ」と判定された場合には、ＲＦ−ＩＤ読み込み／書き込みアンテナ３１からＲＦ−ＩＤタグ４３へのデータの書き込みが行われる（ステップＳ３３）。
【００５７】
そして、ＲＦ−ＩＤタグ４３へのデータの書き込みが成功したかが判定される（ステップＳ３４）。この判定は、ＲＦ−ＩＤタグ４３からのリターンコードを判定することにより行われる。
【００５８】
このステップＳ３４の判定で「ＹＥＳ」と判定された場合には、印字が終了したか判定される（ステップＳ３５）。このステップＳ３５の判定で「ＹＥＳ」と判定された場合には、発行は終了される。
【００５９】
ところで、ステップＳ３４の判定で「ＮＯ」と判定された場合には、用紙４１をバックフィードされる処理がなされる（ステップＳ３６）。そして、ラベル領域Ｂを印字待機位置まで搬送モータ６５によりバックフィードさせてから、ラベル領域Ｂにエラーパターンを印字する（ステップＳ３７）。このエラーパターンとしてはラベル領域Ｂのすべてに「ＸＸＸＸ」を印字すること等がある。
【００６０】
このように本発明の第５の実施の形態では、ＲＦ−ＩＤ読み込み／書き込みアンテナ３１が固定されていても、ＲＦ−ＩＤタグ４３への書き込みが失敗した場合には、バックフィードさせることによりラベル領域Ｂにエラーパターンを印字させることができる。このようにＲＦ−ＩＤタグ４３へのデータの書き込みが失敗した場合には、エラーパターンを印字させるようにしたので、オペレータはその旨を視認することができる。
【００６１】
次に、本発明の第６の実施の形態について図１２のフローチャートを参照して説明する。この第６の実施の形態も第５の実施の形態と同様に、図７に示すようにＲＦ−ＩＤ読み込み／書き込みアンテナ３１はプラテン２３の直ぐ下流に固定されている。このようにＲＦ−ＩＤ読み込み／書き込みアンテナ３１が装着されており、図１４（Ｂ）に示すようなラベル４２への印字を行う場合の動作について図１２のフローチャートを参照して説明する。
【００６２】
プリンタがホストコンピュータ７１から送信されたＲＦ−ＩＤ発行開始コマンドを受信すると、ラベル４２を搬送モータ６５によりフィードする処理がなされる（ステップＳ４１）。そして、次に、ＲＦ−ＩＤタグ４３への書き込み可能位置にきたかが判定される（ステップＳ４２）。ここで、ＲＦ−ＩＤタグ４３がラベル４２のどの位置にあるとというＲＦ−ＩＤタグ位置情報をＲＦ−ＩＤ発行開始コマンドと共に受信している。従って、プリンタはその位置情報に応じてＲＦ−ＩＤタグへのデータの書き込み動作を開始する位置と書き込み動作を終了する位置かを設定している。書き込み可能位置とは、ＲＦ−ＩＤタグへのデータの書き込み動作を開始する位置と書き込み動作を終了する位置との間にある位置をいう。このステップＳ４２の判定で「ＹＥＳ」と判定された場合には、ＲＦ−ＩＤ読み込み／書き込みアンテナ３１からＲＦ−ＩＤタグ４３へのデータの書き込みが行われる（ステップＳ４３）。
【００６３】
そして、ＲＦ−ＩＤタグ４３へのデータの書き込みが成功したかが判定される（ステップＳ４４）。この判定は、ＲＦ−ＩＤタグ４３からのリターンコードを判定することにより行われる。
【００６４】
このステップＳ４４の判定で「ＹＥＳ」と判定された場合には、ラベル４２をバックフィードさせる（ステップＳ４５）。つまり、ラベル領域Ｂを印字待機位置までバックフィードされる。そして、ラベル領域Ｂへのバーコード、文字等の印字を開始する（ステップＳ４６）。
【００６５】
そして、印字が終了したかが判定される（ステップＳ４７）。この判定により印字が終了したと判定された場合には、ラベルの発行処理は終了される。
【００６６】
ところで、ステップＳ４４の判定で「ＮＯ」と判定された場合には、ＬＥＤ１４を点灯させたり、あるいはブザーを鳴らすようにして、エラー処理を行っている（ステップＳ４８）。
【００６７】
このように第６の実施の形態によれば、まず、ＲＦ−ＩＤタクグへのデータの書き込みを行い、このＲＦ−ＩＤタグへのデータの書き込みが成功したら、ラベル領域Ｂへの印字を行うようにしたので、ＲＦ−ＩＤタグーのデータの書き込みエラーが発生した場合には、ラベル領域Ｂへの印字を行わなくてよいので、リベルの節約を行うことができる。
【図面の簡単な説明】
【００６８】
【図１】本発明の一実施の形態に係わるＲＦ−ＩＤ読み取り書き込み機能付きプリンタの斜視図。
【図２】同実施の形態に係わる要部の断面を示す模式図。
【図３】同実施の形態に係わるアンテナの取り付け位置を用紙の搬送方向に沿って可変可能な取り付け機構を示す図。
【図４】同ＲＦ−ＩＤ読み取り書き込み機能付きプリンタのシステム構成を示すブロック図。
【図５】本発明の第１の実施の形態の動作を説明するためのフローチャート。
【図６】本発明の第２の実施の形態の動作を説明するためのフローチャート。
【図７】プラテンとラベルとの位置関係を説明するための図。
【図８】プラテンとラベルとの位置関係を説明するための図。
【図９】本発明の第３の実施の形態の動作を説明するためのフローチャート。
【図１０】本発明の第４の実施の形態の動作を説明するめためのフローチャート。
【図１１】本発明の第５の実施の形態の動作を説明するためのフローチャート。
【図１２】本発明は第６の実施の形態の動作を説明するためのフローチャート。
【図１３】ＲＦ−ＩＤ読み込み／書き込みアンテナの位置関係を示す図。
【図１４】ラベルとＲＦ−ＩＤタグの位置関係を説明するための図。
【図１５】ラベルとＲＦ−ＩＤタグの位置関係を説明するための図。
【符号の説明】
【００６９】
２３…プラテンローラ、
２４…サーマルヘッド、
３１…ＲＦ−ＩＤ読み込み／書き込みアンテナ、
３２…ＲＦ−ＩＤ読み込み／書き込みモジュール，
４１…用紙，
４２…ラベル、
４３…ＲＦ−ＩＤタグ。
【図１】
2006082560.tif 000003
【図２】
2006082560.tif 000004
【図３】
2006082560.tif 000005
【図４】
2006082560.tif 000006
【図５】
2006082560.tif 000007
【図６】
2006082560.tif 000008
【図７】
2006082560.tif 000009
【図８】
2006082560.tif 000010
【図９】
2006082560.tif 000011
【図１０】
2006082560.tif 000012
【図１１】
2006082560.tif 000013
【図１２】
2006082560.tif 000014
【図１３】
2006082560.tif 000015
【図１４】
2006082560.tif 000016
【図１５】
2006082560.tif 000017